(57)【要約】【課題】  接続関係が明確な電池装置を提供する。【解決手段】  電池装置は、それぞれ電池セルと、電池セルを収容し、外側に識別パターンが設けられたケースと、を有した複数の電池１Ｒ、１Ｂで形成され、直列に接続された複数の電池群Ｇを備えている。複数の電池群Ｇは、互いに共通の複数の識別パターンが設けられた複数の電池１Ｒ、１Ｂで形成されている。各電池群Ｇは、互いに異なる識別パターンが設けられているとともに互いに並列に接続された複数の電池１Ｒ、１Ｂで形成されている。【選択図】      図１
2009231142.tif 000002
【特許請求の範囲】
【請求項１】
それぞれ電池セルと、前記電池セルを収容し、外側に識別パターンが設けられたケースと、を有した複数の電池で形成され、直列に接続された複数の電池群を備え、
前記複数の電池群は、互いに共通の複数の識別パターンが設けられた複数の電池で形成され、
各電池群は、互いに異なる識別パターンが設けられているとともに互いに並列に接続された複数の電池で形成されている電池装置。
【請求項２】
前記識別パターンは、色であり、
前記各電池群は、互いに異なる色を付けた複数の電池で形成されている請求項１に記載の電池装置。
【請求項３】
前記複数の電池は一列に並べられているとともに、前記各電池群の複数の電池は互いに隣合って並べられ、
前記電池群は前記電池を同一の順番に並べて形成されている請求項１に記載の電池装置。
【発明の詳細な説明】
【技術分野】
【０００１】
この発明は、電池装置に関し、特に複数の二次電池で形成された電池装置に関する。
【背景技術】
【０００２】
近年、リチウムイオン二次電池等の二次電池を複数含んだ電池装置は、高電圧、高エネルギー密度を有することから、電気自動車等の電源として注目されている（例えば、特許文献１参照）。二次電池は、充放電可能な電池セルと、電池セルを収容したケースとを有している。
【０００３】
電池装置は、複数の二次電池を直列又は並列に接続して形成されている。二次電池を直列に接続した場合、電池装置の電圧を増やすことができる。また、二次電池を直列に接続した場合、電池装置の容量を増やすことができる。
【０００４】
その他、電池装置は、互いに並列に接続された複数の二次電池からなる二次電池群を、直列に複数接続して形成されている。この場合、電池装置の電圧及び容量を増やすことができる。
【特許文献１】特開２００５−２０３２５０号公報
【発明の開示】
【発明が解決しようとする課題】
【０００５】
しかしながら、複数の二次電池群を直列に接続した場合、誤った接続をし、電池装置をショートさせてしまう恐れがある。すなわち、二次電池群同士を直列に接続するところ、並列に接続してしまったり、二次電池群内の二次電池同士を並列に接続するところ、直列に接続してしまったりする恐れがある。  
この発明は以上の点に鑑みなされたもので、その目的は、接続関係が明確な電池装置を提供することにある。
【課題を解決するための手段】
【０００６】
上記課題を解決するため、本発明の態様に係る電池装置は、
それぞれ電池セルと、前記電池セルを収容し、外側に識別パターンが設けられたケースと、を有した複数の電池で形成され、直列に接続された複数の電池群を備え、
前記複数の電池群は、互いに共通の複数の識別パターンが設けられた複数の電池で形成され、
各電池群は、互いに異なる識別パターンが設けられているとともに互いに並列に接続された複数の電池で形成されている。
【発明の効果】
【０００７】
この発明によれば、接続関係が明確な電池装置を提供することができる。
【発明を実施するための最良の形態】
【０００８】
以下、図面を参照しながらこの発明の実施の形態に係る電池装置について詳細に説明する。  
図１、図２及び図３に示すように、電池装置は、複数の電池１Ｒ、１Ｂで形成されている。ここでは、複数の電池１Ｒ、１Ｂは、二次電池である。電池１Ｒ、１Ｂは、それぞれ扁平な矩形状である。電池１Ｒ、１Ｂは、それぞれ電池セル１０と、電池セルを収容し、外側に識別パターンが設けられたケース２０とを有している。
【０００９】
電池セル１０は、扁平な矩形状である。電池セル１０は、外面に突出して形成された正極１１及び負極１２を有している。電池セル１０は、扁平な矩形状のアルミニウム筐体の内部に非水電解液を密封して形成されている。
【００１０】
ケース２０は、第１ケース２１及び第２ケース２２で形成されている。第１ケース２１は、矩形状の底壁と、この底壁の周縁部に設けられた矩形枠状の周壁とが一体になって形成されている。第１ケース２１の周壁は、一部に切欠き部を有している。
【００１１】
第２ケース２２は矩形状に形成されている。第１ケース２１及び第２ケース２２は、電池セル１０を囲み、互いに固定されている。ケース２０は、正極１１及び負極１２を露出している。電池１Ｒ、１Ｂは、それぞれ正極１１及び負極１２を介して充電及び放電されるものである。
【００１２】
電池装置は、直列に接続された複数の電池群Ｇを備えている。電池群Ｇは、複数の電池１Ｒ、１Ｂで形成されている。複数の電池群Ｇは、互いに共通の複数の識別パターンが設けられた複数の電池１Ｒ、１Ｂで形成されている。各電池群Ｇは、互いに異なる識別パターンが設けられているとともに互いに並列に接続された複数の電池１Ｒ、１Ｂで形成されている。
【００１３】
この実施の形態において、各電池群Ｇは、１つの電池１Ｒと、１つの電池１Ｂとで形成されている。識別パターンは色である。各電池群Ｇは、互いに異なる色を付けた複数の電池１Ｒ、１Ｂで形成されている。より詳しくは、各電池群Ｇは、赤色の電池１Ｒと、茶色の電池１Ｂとで形成されている。電池１Ｒにおいて、ケース２０の外面の全体に赤色が付いている。電池１Ｂにおいて、ケース２０の外面の全体に茶色が付いている。
【００１４】
複数の赤色の電池１Ｒ及び複数の電池１Ｂは、一列に並べられている。各電池群Ｇの複数の電池１Ｒ、１Ｂは互いに隣合っている。電池群Ｇは電池１Ｒ、１Ｂを同一の順番に並べて形成されている。
【００１５】
以上のように構成された電池装置によれば、電池装置は、色付きの電池１Ｒ、１Ｂで形成されている。１つの電池１Ｒと、１つの電池１Ｂとで電池群Ｇを形成している。このため、電池同士を直列に接続するところと、電池同士を並列に接続するところとを明確にすることができる。電池１Ｒ、１Ｂ間で誤った接続を防止できるため、ショートさせること無しに、電池を安全に接続することができる。
【００１６】
複数の電池１Ｒ、１Ｂは一列に並べられているとともに、各電池群Ｇの複数の電池は互いに隣合って並べられている。電池群Ｇは電池１Ｒ、１Ｂを同一の順番に並べて形成されている。これにより、電池の接続関係を一層明確にすることができる。
【００１７】
また、電池装置は、互いに並列に接続された電池１Ｒ、１Ｂからなる電池群Ｇを直列に複数接続して形成されている。このため、電池装置の電圧及び容量を増やすことができる。  
上記したことから、接続関係が明確な電池装置を得ることができる。
【００１８】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。
【００１９】
例えば、電池装置は、上記したように２並列の場合に限定されるものではなく、図４に示すように３並列の場合や、図５に示すように４並列の場合であっても上述した効果を得ることができる。図４に示した電池装置において、１つの赤色電池１Ｒと、１つの茶色の電池１Ｂと、１つの橙色の電池１Ｏとで各電池群Ｇが形成されている。図５に示した電池装置において、１つの赤色電池１Ｒと、１つの茶色の電池１Ｂと、１つの橙色の電池１Ｏと、１つの黄色の電池１Ｙとで各電池群Ｇが形成されている。
【００２０】
識別パターンが色である場合、ケース２０の外面の全体に色を付ける必要はなく、色を識別できればケース２０の外面の一部にのみ色を付けても良く、これにより、上述した効果を得ることができる。識別パターンは色に限定されるものではなく、種々変形可能である。
【図面の簡単な説明】
【００２１】
【図１】本発明の実施の形態に係る電池装置を示す斜視図。
【図２】上記電池装置の電池を１つ取出して示す分解斜視図。
【図３】上記電池装置を示す平面図であり、特に、電池の接続関係を示す図。
【図４】本発明の実施の形態に係る電池装置の変形例を示す斜視図。
【図５】本発明の実施の形態に係る電池装置の他の変形例を示す斜視図。
【符号の説明】
【００２２】
１Ｒ，１Ｂ，１Ｏ，１Ｙ…電池、１０…電池セル、１１…正極、１２…負極、２０…ケース、Ｇ…電池群。
【図１】
2009231142.tif 000003
【図２】
2009231142.tif 000004
【図３】
2009231142.tif 000005
【図４】
2009231142.tif 000006
【図５】
2009231142.tif 000007